(57)【特許請求の範囲】
【請求項１】
ハウジングと、このハウジングの一側面側に設けられ複数の導体部が設けられた回路基板の端部が挿入された挿入部と、前記ハウジングに収容され前記挿入部に配置された箱部を有する端子と、前記箱部の内外に出没可能に設けられ前記回路基板の導体部に接触された接点部を有する弾性片と、前記ハウジングの挿入部に組付けられたホルダと、このホルダに前記端子の箱部側に向けて延設され前記弾性片と当接して前記弾性片を変位させて前記接点部を前記箱部外に出させた押上部とを備えたコネクタであって、
前記ハウジング内には、撓み可能に設けられ前記端子の箱部に係合した係止ランスが設けられ、
前記係止ランスは、前記端子の箱部内に挿入され前記弾性片と当接して前記弾性片の前記押上部側を前記押上部の先端より前記箱部の外側に変位させていることを特徴とするコネクタ。
【請求項２】
請求項１記載のコネクタであって、
前記接点部は、前記弾性片の基端と自由端との間に設けられ、
前記押上部は、前記弾性片の自由端と当接し前記弾性片の前記箱部内への変位を規制していることを特徴とするコネクタ。
【発明の詳細な説明】
【技術分野】
【０００１】
本発明は、コネクタに関する。詳細には、回路基板の端部が挿入される挿入部を有するコネクタに関する。
【背景技術】
【０００２】
従来、コネクタとしては、ハウジングと、このハウジングの一側面側に設けられ複数の導体部が設けられた回路基板の端部が挿入された挿入部と、ハウジングに収容され挿入部に配置された箱部を有する端子と、箱部の内外に出没可能に設けられ回路基板の導体部に接触された接点部を有する弾性片と、ハウジングの挿入部に組付けられたホルダと、このホルダに端子の箱部側に向けて延設され弾性片と当接して弾性片を変位させて接点部を箱部外に出させた押上部とを備えたものが知られている（例えば、特許文献１参照）。
【０００３】
このコネクタでは、ホルダをハウジングの挿入部に組付けことにより、ホルダの押上部が端子の弾性片と当接し、ホルダの移動によって弾性片が押上部と摺動しながら変位され、弾性片の接点部が端子の箱部外に出される。
【先行技術文献】
【特許文献】
【０００４】
【特許文献１】特開２０１６−２４８８２号公報
【発明の概要】
【発明が解決しようとする課題】
【０００５】
しかしながら、上記特許文献１のようなコネクタでは、ホルダをハウジングの挿入部に組付けるときに、ホルダの押上部の先端と端子の弾性片の先端とが衝突する、いわゆるどつきが発生し、弾性片に変形が生じて所望の接触荷重を得ることができない恐れがあった。
【０００６】
そこで、この発明は、ホルダの組付けによる弾性片の変形を防止することができるコネクタの提供を目的としている。
【課題を解決するための手段】
【０００７】
請求項１記載の発明は、ハウジングと、このハウジングの一側面側に設けられ複数の導体部が設けられた回路基板の端部が挿入された挿入部と、前記ハウジングに収容され前記挿入部に配置された箱部を有する端子と、前記箱部の内外に出没可能に設けられ前記回路基板の導体部に接触された接点部を有する弾性片と、前記ハウジングの挿入部に組付けられたホルダと、このホルダに前記端子の箱部側に向けて延設され前記弾性片と当接して前記弾性片を変位させて前記接点部を前記箱部外に出させた押上部とを備えたコネクタであって、前記ハウジング内には、撓み可能に設けられ前記端子の箱部に係合した係止ランスが設けられ、前記係止ランスは、前記端子の箱部内に挿入され前記弾性片と当接して前記弾性片の前記押上部側を前記押上部の先端より前記箱部の外側に変位させていることを特徴とする。
【０００８】
このコネクタでは、係止ランスが、端子の箱部内に挿入され弾性片と当接して弾性片の押上部側を押上部の先端より箱部の外側に変位させているので、ホルダをハウジングの挿入部に組付けるときに、ホルダの押上部の先端と端子の弾性片の先端とが衝突することがなく、弾性片の変形を防止して所望の接触荷重を得ることができる。
【０００９】
従って、このようなコネクタでは、ホルダをハウジングの挿入部に組付けるときのホルダの押上部の先端と端子の弾性片の先端とのどつきを防止でき、ホルダの組付けによる弾性片の変形を防止することができる、
請求項２記載の発明は、請求項１記載のコネクタであって、前記接点部は、前記弾性片の基端と自由端との間に設けられ、前記押上部は、前記弾性片の自由端と当接し前記弾性片の前記箱部内への変位を規制していることを特徴とする。
【００１０】
このコネクタでは、押上部が、弾性片の自由端と当接し弾性片の箱部内への変位を規制しているので、弾性片の接点部における接触圧力を高めることができ、電気的な接続信頼性を向上することができる。
【発明の効果】
【００１１】
本発明によれば、ホルダの組付けによる弾性片の変形を防止することができるコネクタを提供することができるという効果を奏する。
【図面の簡単な説明】
【００１２】
【図１】本発明の実施の形態に係るコネクタの斜視図である。
【図２】本発明の実施の形態に係るコネクタの断面図である。
【図３】本発明の実施の形態に係るコネクタのハウジングに端子を収容するときの断面図である。
【図４】本発明の実施の形態に係るコネクタのホルダの斜視図である。
【図５】本発明の実施の形態に係るコネクタのハウジングにホルダを組付けるときの断面図である。
【発明を実施するための形態】
【００１３】
図１〜図５を用いて本発明の実施の形態に係るコネクタについて説明する。
【００１４】
本実施の形態に係るコネクタ１は、ハウジング３と、このハウジング３の一側面側に設けられ複数の導体部が設けられた回路基板５の端部が挿入された挿入部７と、ハウジング３に収容され挿入部７に配置された箱部９を有する端子１１と、箱部９の内外に出没可能に設けられ回路基板５の導体部に接触された接点部１３を有する弾性片１５と、ハウジング３の挿入部７に組付けられたホルダ１７と、このホルダ１７に端子１１の箱部９側に向けて延設され弾性片１５と当接して弾性片１５を変位させて接点部１３を箱部９外に出させた押上部１９とを備えている。
【００１５】
また、ハウジング３内には、撓み可能に設けられ端子１１の箱部９に係合した係止ランス２１が設けられている。
【００１６】
そして、係止ランス２１は、端子１１の箱部９内に挿入され弾性片１５と当接して弾性片１５の押上部１９側を押上部１９の先端より箱部９の外側に変位させている。
【００１７】
また、接点部１３は、弾性片１５の基端と自由端との間に設けられ、押上部１９は、弾性片１５の自由端と当接し弾性片１５の箱部９内への変位を規制している。
【００１８】
図１〜図５に示すように、ハウジング３は、合成樹脂などの絶縁性材料からなり、一側面側に基板ユニット２３の端部が挿入される挿入部７が設けられ、他側面側に複数の端子１１が挿入される端子挿入部２５が設けられている。
【００１９】
ハウジング３の挿入部７には、基板ユニット２３の端部が挿入される。基板ユニット２３は、合成樹脂などの絶縁性材料からなるユニットハウジング２７内に回路基板５がインサート成形されている。
【００２０】
このユニットハウジング２７から露出する回路基板５の端部には、回路パターンを構成する複数の導体部（不図示）が幅方向に複数列設けられている。
【００２１】
このような基板ユニット２３は、ユニットハウジング２７の外周に設けられた溝部やリブ（不図示）とハウジング３に設けられた溝部２９やリブ３１とを介して、露出された回路基板５の複数の導体部側の端部がハウジング３の挿入部７内に挿入され、ユニットハウジング２７とハウジング３とに設けられた係止部３３を介して係止される。
【００２２】
なお、基板ユニット２３とハウジング３との間には、基板ユニット２３とハウジング３とに密着して基板ユニット２３とハウジング３との間を防水するゴムパッキン３５が配置されている。
【００２３】
このようなハウジング３の挿入部７には、内部に複数の端子１１の接点部１３が配置され、基板ユニット２３の端部が挿入されることにより、回路基板５の導体部と端子１１の接点部１３とが接触され、基板ユニット２３と複数の端子１１とが電気的に接続される。この挿入部７の反対側には、端子挿入部２５が設けられている。
【００２４】
ハウジング３の端子挿入部２５には、開口から複数の端子１１が挿入され、内部に設けられた端子収容室３７内に複数の端子１１が収容配置される。
【００２５】
このハウジング３の端子挿入部２５の開口側には、複数の端子１１を挿入可能な複数の孔が設けられ、ハウジング３と複数の端子１１が端末部に設けられた電線３９とに密着してハウジング３の内部を防水するマットシール４１が配置されている。
【００２６】
マットシール４１は、複数の端子１１を挿入可能な複数の孔が設けられ、ハウジング３の端子挿入部２５に配置された後、ハウジング３の端子挿入部２５の開口に組付けられるマットシールカバー４３によってハウジング３からの抜け止めがなされる。
【００２７】
複数の端子１１は、導電性材料からなり、箱部９を有する雌型端子となっている。また、複数の端子１１は、それぞれ電源や機器などに接続された電線３９の端末部に圧着などによって電気的に接続されている。
【００２８】
この複数の端子１１は、箱部９側がハウジング３の端子挿入部２５の開口からマットシールカバー４３及びマットシール４１の孔を介して挿入され、箱部９が挿入部７側に位置するようにハウジング３内の端子収容室３７に収容される。
【００２９】
この端子収容室３７内には、上壁と底壁とからそれぞれ撓み可能に係止ランス２１が設けられており、この係止ランス２１の自由端の端面が端子収容室３７内に挿入された端子１１の箱部９に係合することによって、端子１１のハウジング３からの抜け止めがなされる。
【００３０】
このような複数の端子１１は、ハウジング３の高さ方向に上段と下段とに上下対称に収容されると共に、ハウジング３の幅方向に並列に複数配列されて収容される。
【００３１】
このようにハウジング３に収容される複数の端子１１の箱部９には、それぞれ接点部１３を有する弾性片１５が設けられている。
【００３２】
弾性片１５は、基端が箱部９の上壁の電線３９側に位置し、基端から挿入部７側に向けて延設された後、底壁側に向けて屈曲された部分が自由端となり、端部が再び電線３９側に向けて折り曲げられることにより、箱部９内に弾性変形可能に設けられている。
【００３３】
接点部１３は、弾性片１５の自由端から再び電線３９側に向けて折り曲げられた部分において、自由端と基端との間に箱部９の底壁側に向けて突出するように設けられている。
【００３４】
この接点部１３は、弾性片１５の自由端側の箱部９の底壁側に向けた弾性変形によって、箱部９の底壁に形成された孔から箱部９の外部に露出される。
【００３５】
一方、接点部１３は、弾性片１５が弾性変形しない状態で、箱部９から外部に露出することがなく、箱部９内に収容され、箱部９によって保護された状態となる。
【００３６】
このように接点部１３を箱部９内に収容することにより、例えば、端子１１の搬送時や端子１１のハウジング３への収容時などにおいて、接点部１３が周辺部材などと干渉することがなく、弾性片１５の変形を防止することができ、所望の接点部１３と回路基板５の導体部との接触荷重を得ることができる。
【００３７】
加えて、接点部１３は、箱部９内に収容されているので、端子１１のハウジング３への収容時において、箱部９がマットシールカバー４３やマットシール４１の孔を通過するときに、接点部１３がマットシールカバー４３やマットシール４１に干渉することがなく、マットシールカバー４３やマットシール４１の損傷を防止することができる。
【００３８】
このような接点部１３を有する弾性片１５が設けられた箱部９を有する端子１１を収容したハウジング３の挿入部７には、ホルダ１７が組付けられる。
【００３９】
ホルダ１７は、合成樹脂などの絶縁性材料からなり、ハウジング３の挿入部７からハウジング３内に収容される。
【００４０】
このホルダ１７の高さ方向の両端部には、ハウジング３の挿入部７に配置された状態で、係止ランス２１の撓み空間に挿入され、係止ランス２１の撓みを規制する複数の規制突起４５が延設されている。
【００４１】
このホルダ１７の端子１１と対向する対向面には、ホルダ１７がハウジング３の挿入部７に挿入されることにより、端子１１の箱部９内に挿入されて弾性片１５の先端側に当接される複数の押上部１９が端子１１側に向けて延設されている。
【００４２】
複数の押上部１９は、複数の端子１１と対応するように、ホルダ１７の高さ方向に上段と下段とに上下対称に形成されると共に、ホルダ１７の幅方向に並列に複数配列されて形成されている。
【００４３】
この押上部１９の先端側には、端子１１側からホルダ１７側に向けて上り傾斜となる傾斜面が形成されている。
【００４４】
このような押上部１９は、ホルダ１７がハウジング３の挿入部７に挿入されることにより、端子１１の箱部９内に挿入され、傾斜面である先端側が弾性片１５の自由端である先端側に当接される。
【００４５】
この状態からさらにホルダ１７をハウジング３の挿入部７に挿入することにより、弾性片１５の先端が押上部１９の傾斜面と摺動しながら傾斜面に沿って移動し、弾性片１５の自由端側が箱部９の底壁に向けて変位される。
【００４６】
この押上部１９による弾性片１５の変位により、弾性片１５に設けられた接点部１３が箱部９の底壁の孔から箱部９外に出される。
【００４７】
この箱部９の外部に接点部１３が露出された状態は、ホルダ１７がハウジング３に完全に組付けられた状態で、弾性片１５の折り曲げられた端部である自由端側の下面が押上部１９の上面と当接することにより、弾性片１５の箱部９内への変位を規制して保持される。
【００４８】
このように箱部９外に出された接点部１３は、ハウジング３の高さ方向に対向する一対の接点部１３，１３となる。
【００４９】
この一対の接点部１３，１３間には、ハウジング３の挿入部７に基板ユニット２３が挿入されることにより、基板ユニット２３の端部が挿入され、回路基板５の導体部と接点部１３，１３とが接触されて基板ユニット２３と複数の端子１１とが電気的に接続される。
【００５０】
このとき、弾性片１５の自由端側の下面が押上部１９の上面と当接し、弾性片１５の箱部９内への変位が規制されているので、弾性片１５の弾性力が高められ、接点部１３，１３と回路基板５の導体部との接触圧力を高めることができ、基板ユニット２３と複数の端子１１との接続信頼性を向上することができる。
【００５１】
このようなコネクタ１において、ホルダ１７を挿入部７に挿入することにより、押上部１９の先端側の傾斜面に弾性片１５の自由端側を摺動させて弾性片１５を変位させている。
【００５２】
しなしながら、弾性片１５の自由端側の位置がある程度、箱部９の外側に変位していないと、ホルダ１７を挿入部７に挿入したときに、押上部１９の先端と弾性片１５の自由端である先端とが衝突するどつきが発生し、弾性片１５に変形が生じる恐れがあった。
【００５３】
そこで、端子１１を係止する係止ランス２１は、端子１１を係止した状態で、箱部９側の面が箱部９の上壁に形成された孔から箱部９の内部に挿入され、弾性片１５と当接して弾性片１５の押上部１９側である自由端側を押上部１９の先端より箱部９の外側に変位させる。
【００５４】
このように係止ランス２１によって弾性片１５の自由端側を押上部１９の先端より箱部９の外側に変位させることにより、ホルダ１７を挿入部７に挿入したときに、押上部１９の先端と弾性片１５の自由端とがどつくことがなく、どつきによる弾性片１５の変形を防止することができる。
【００５５】
加えて、ホルダ１７を挿入部７に挿入するときには、弾性片１５の自由端側が押上部１９の先端より箱部９の外側に変位されているので、押上部１９の先端を弾性片１５の自由端側の下面に挿入することができ、押上部１９によって確実に弾性片１５を変位させて接点部１３を確実に箱部９の外部に露出させることができる。
【００５６】
しかも、弾性片１５の自由端側を押上部１９の先端より箱部９の外側に変位させる係止ランス２１は、端子１１を係止する部材であるので、弾性片１５を変位させる別部材を追加する必要がなく、部品点数の増加や配置スペースの確保によるハウジング３の大型化を引き起こすことがない。
【００５７】
このようなコネクタ１では、係止ランス２１が、端子１１の箱部９内に挿入され弾性片１５と当接して弾性片１５の押上部１９側を押上部１９の先端より箱部９の外側に変位させているので、ホルダ１７をハウジング３の挿入部７に組付けるときに、ホルダ１７の押上部１９の先端と端子１１の弾性片１５の先端とが衝突することがなく、弾性片１５の変形を防止して所望の接触荷重を得ることができる。
【００５８】
従って、このようなコネクタ１では、ホルダ１７をハウジング３の挿入部７に組付けるときのホルダ１７の押上部１９の先端と端子１１の弾性片１５の先端とのどつきを防止でき、ホルダ１７の組付けによる弾性片１５の変形を防止することができる。
【００５９】
また、押上部１９は、弾性片１５の自由端と当接し弾性片１５の箱部９内への変位を規制しているので、弾性片１５の接点部１３における接触圧力を高めることができ、電気的な接続信頼性を向上することができる。
【００６０】
なお、本発明の実施の形態に係るコネクタでは、ハウジングの幅方向に複数列配置された複数の端子が２段配置されているが、これに限らず、４段以上配置させるなど、基板ユニットの端部が挿入される挿入部を複数設けてもよい。
【００６１】
また、端子の接点部は、端子を上下対称に配置させることによって一対の接触部となっているが、これに限らず、１つの端子に一対の接点部を設けてもよい。
【００６２】
この場合には、例えば、端子収容室内に箱部に係合される係止ランスを一対設け、それぞれの係止ランスによって接点部が設けられた弾性片を変位させればよい。
【符号の説明】
【００６３】
１…コネクタ
３…ハウジング
５…回路基板
７…挿入部
９…箱部
１１…端子
１３…接点部
１５…弾性片
１７…ホルダ
１９…押上部
２１…係止ランス
【図１】
0006641214.tif 000002
【図２】
0006641214.tif 000003
【図３】
0006641214.tif 000004
【図４】
0006641214.tif 000005
【図５】
0006641214.tif 000006